【手続補正書】
【提出日】平成23年12月9日(2011.12.9)
【手続補正１】
【補正対象書類名】特許請求の範囲
【補正対象項目名】全文
【補正方法】変更
【補正の内容】
【特許請求の範囲】
【請求項１】
コイン（C）と少なくとも一部が磁性体（ECR）により構成されたＩＣコイン（EC）との共通の投入口（102）に投入された前記コイン（C）の真偽を判別して受入コインと返却コインとに選別し、及び前記ＩＣコイン（EC）と通信して受入ICコイン若しくは返却ICコインに選別する価値媒体処理装置において、
前記ICコイン（EC）が転動し、かつ、前記投入口（102）に続いて配置された可動ICコインガイドレール（162M）及び前記可動ICコインガイドレール（162M）に実質的に連続して形成された固定ICコインガイドレール(162F)によって形成されたICコイン通路（104）、
前記投入口（102）近傍の前記ICコイン通路（102）に続いて前記ICコイン通路（102）の下方に形成され、投入された前記コイン（C）が転動する固定コインガイドレール(150)によって形成されるコイン通路（106）、
前記投入口（102）近傍の前記ICコイン通路（104）に隣接配置した磁石(334)、
前記磁石（334）と前記可動ICコインガイドレール（162M）を駆動連結する連動装置(336)を備え、
前記連動装置（336）は、前記ICコイン（EC）の前記磁性体（ECR）に吸着されて移動可能であり、
前記吸着移動に連動して前記可動ICコインガイドレール（162M）が前記ICコイン（EC）のガイド位置(GP)に移動されることを特徴とする価値媒体処理装置。
【手続補正２】
【補正対象書類名】明細書
【補正対象項目名】全文
【補正方法】変更
【補正の内容】
【発明の詳細な説明】
【発明の名称】価値媒体処理装置
【技術分野】
【０００１】
本発明は、コインの真偽を判別し、及び、コイン型電気的価値情報記憶媒体の価値情報を読み込み、若しくは書き込みできる価値媒体処理装置に関する。
詳しくは、コインとコイン型電気的価値情報記憶媒体を共通する投入口に投入する価値媒体処理装置に関する。
なお、本発明に係る価値媒体処理装置は、コイン式ゲーム機や自動販売機等に使用可能である。
本明細書において、「コイン」とは、通貨としての硬貨、ゲーム機のメダルおよびトークン等の総称であり、「ICコイン」とはコイン型電気的価値記憶媒体の総称である。
【背景技術】
【０００２】
第１の従来技術として、ＩＣコインと硬貨のいずれも投入可能な縦スリット状の共通投入口の背後に当該投入口と同幅の縦長行路を設け、当該縦長行路の底面にはその幅方向中央部において硬貨のみを収めうる幅の相対的高勾配な下り斜面の硬貨用通路を形成してその先に硬貨のみ落下する幅のスリット状硬貨受入口を設けると共に、該硬貨用通路の両端脇においてはより低勾配な下り斜面の路肩を形成し、該スリット状硬貨受入口より先に先方にＩＣコイン受け入れ部を設けた種分け機構が知られている（例えば、特許文献１参照。）。
第２の従来技術として、同一の投入口に続いて下向きに傾斜するコイン搬送路を設け、このコイン搬送路に複数のシャッタを配置し、投入されたコインの大きさを判別して複数のシャッタを選択的に開くことにより、ICコイン及びコインをそれぞれに対応した処理部に振り分けるものが知られている（例えば、特許文献2参照。）。
【０００３】
【特許文献１】特開2006-189986（図１−図３、２頁―４頁）
【特許文献２】特開2005-293097（図２−７、６頁―１１頁）
【０００４】
第１の従来技術は、コインとＩＣコインとを同一の投入口に投入でき、顧客が投入口を間違えない利点がある。
しかし、低勾配な下り斜面の路肩によってコインを硬貨通路に落下させるが、コインは転動により慣性力を有しているため、路肩上を転がり、コイン用通路に落下せず、結果としてコインの選別を行うことができない恐れがある。
また、コインはＩＣコインの通路を転動中に振分られた後、識別される。
よって、ＩＣコインの読込若しくは書込装置はコインが転動する通路の下流に配置せねばならず、装置が大型化する問題がある。
さらに、第１の従来技術においては、コインの真偽は、厚みを機械的に判別しているのみであるので、厚みのみ同一とした偽コインを選別することはできない。
真偽判別精度を高めるには直径、材質等を加えて真偽判別する必要があるが、コイン用通路に続いて判別装置を設けねばならず、装置が大型化する問題がある。
詳細には、ゲーム機等に既に使用されているコイン選別装置との互換性を確保する観点から、従来のコイン選別機の大きさに収めることが要求される。
具体的には、大凡幅５０ミリ、高さ１３０ミリ及び奥行き１２０ミリの空間に価値媒体処理装置が収納されなければならない。
第１従来技術は前記のように大型化するので、既設機と互換性を有する大きさに作ることができない。
【０００５】
第２の従来技術は、第１の従来技術同様にシャッタで振り分けた下流に、ICコインの処理装置及びコインの真偽判別部を配置せねばならず、既設機と互換性を有する大きさにすることができない。
【発明の開示】
【発明が解決しようとする課題】
【０００６】
本発明の第１の目的は、小型のICコイン及びコインを処理できる価値媒体処理装置を提供することである。
本発明の第２の目的は、既設の価値媒体処理装置と互換性を有するICコイン及びコインを処理できる価値媒体処理装置を提供することである。  
本発明の第３の目的は、小型のICコイン及びコインを処理できる価値媒体処理装置を安価に提供することである。
【課題を解決するための手段】
【０００７】
この目的を達成するため、本発明にかかる価値媒体処理装置は以下のように構成される。
すなわち、請求項１の発明は、コインと少なくとも一部が磁性体により構成されたＩＣコインとの共通の投入口に投入された前記コインの真偽を判別して受入コインと返却コインとに選別し、及び前記ＩＣコインと通信して受入ICコイン若しくは返却ICコインに選別する価値媒体処理装置において、前記ICコインが転動し、かつ、前記投入口に続いて配置された可動ICコインガイドレール及び前記可動ICコインガイドレールに実質的に連続して形成された固定ICコインガイドレールによって形成されたICコイン通路、前記投入口近傍の前記ICコイン通路に続いて前記ICコイン通路の下方に形成され、投入された前記コインが転動する前記固定コインガイドレールによって形成されるコイン通路、前記投入口近傍の前記ICコイン通路に隣接配置した磁石、前記磁石と前記可動ICコインガイドレールを駆動連結する連動装置を備え、前記連動装置は、前記ICコインの前記磁性体に吸着されて移動可能であり、前記吸着移動に連動して前記可動ICコインガイドレールが前記ICコイン通路のガイド位置に移動されることを特徴とする価値媒体処理装置である。
【０００８】
また、本発明の第１の好ましい実施態様は、コインと少なくとも一部が磁性体により構成されたＩＣコインとの共通の投入口に投入された前記コインの真偽を判別して受入コインと返却コインとに選別し、及び前記ＩＣコインと通信して受入ICコイン若しくは返却ICコインに選別する価値媒体処理装置において、前記ICコインが転動し、かつ、前記投入口に続いて配置された可動ICコインガイドレール及び前記可動ICコインガイドレールに実質的に連続して形成され、前下がりの固定ICコインガイドレールによって形成されたICコイン通路、前記投入口近傍の前記ICコイン通路に続いて前記ICコイン通路の下方に前記ICコインガイドレールと平行に形成され、投入された前記コインが転動する前下がりの固定コインガイドレールによって形成されるコイン通路、前記投入口近傍の前記ICコイン通路に隣接配置した磁石、前記磁石と前記可動ICコインガイドレールを駆動連結する連動装置を備え、前記連動装置は、前記ICコインの前記磁性体に吸着されて移動可能であり、前記吸着移動に連動して前記可動ICコインガイドレールがICコイン通路構成位置に移動されることを特徴とする価値媒体処理装置である。
【０００９】
また、本発明の第２の好ましい実施態様は、請求項１または第１の好ましい実施態様の価値媒体処理装置において、前記磁石の側方の前記ICコイン通路に位置する前記ＩＣコインを前記投入口から遠ざかる方向に移動させる強制受入装置を配置したことを特徴とする価値媒体処理装置である。
【００１０】
さらに、本発明の第３の好ましい実施態様は、第２の好ましい実施態様の価値媒体処理装置において、前記強制受入装置は、前記ICコイン通路の上側から前記投入口へ向かって片持ち板バネ形に延びるバネ体であることを特徴とする。
【００１１】
さらにまた、本発明の第４の好ましい実施態様は、第３の好ましい実施態様の価値媒体処理装置において、前記バネ体の根元部の前記ICコイン通路側に前記ICコインを前記可動ICコインガイドレール側に案内する案内体を設けたことを特徴とする。
【発明の効果】
【００１２】
請求項１の発明において、共通の投入口から投入されたICコインの磁性体によって磁石が引き寄せられ、この磁石の移動に連動して可動ICコインガイドレールがICコイン通路を構成する位置に移動される。
これにより、ICコインは可動ICコインガイドレールを転動した後、固定ICコインガイドレール上を転動する。
このICコイン通路においてICコインに内蔵された記憶部と通信し、所定の処理を行い、収納ICコインと返却ICコインに選別する。
コインを投入口に投入した場合、コインは磁性体でないため磁石は投入コインによって移動されない。
これにより、可動ICコインガイドレールはICコイン通路を構成する位置に移動しないので、投入コインはICコイン通路から下側に落下し、固定コインガイドレール上を転動する。
この転動過程において、コインの直径等の情報を取得し、基準値と比較することにより真偽が別され、偽コインは返却され、真正コインは収納される。
したがって、ＩＣコインの磁性体に吸着される磁石の移動を利用して可動ICコインガイドレールを移動させてICコイン通路を構成したので、極めて簡単な構成あり、小型、かつ安価に構成できる利点がある。
また、小型であるので従来の価値媒体処理装置と互換性を有するサイズにすることができる。
【００１３】
第１の好ましい実施態様において、共通の投入口から投入されたICコインの磁性体によって磁石が引き寄せられ、この磁石の移動に連動して可動ICコインガイドレールがICコイン通路を構成する位置に移動される。
ICコイン通路を転動するICコインは、保留装置によって所定の位置に停止されることができる。
保留装置によって停止されたICコインは近傍に配置された読込書込装置によって所定の情報を読み込まれ、及び書き込まれる。
所定の処理が終了したICコインは保留装置により停止が解除され、再びICコイン通路を転動してICコイン振分装置によって返却通路又は収納通路に振り分けられる。
返却通路に振り分けられたICコインは返却通路を転動して返却口に達し、顧客へ返却され、収納通路に振り分けられたICコインは収納部に収納される。
共通の投入口から投入されたコインによって磁石は吸着されないので可動ICコインガイドレールはICコイン通路を構成しない。
これにより、投入コインはICコイン通路からコイン通路に落下し、コイン通路を転動する。
この転動途中において、直径、材質、厚み等のコイン特性が検知され、この検知情報に基づいて判別装置が真偽判別及び／又は金種判別する。
この判別装置による判別結果に基づいて、コインはコイン振分装置によって収納通路又は返却通路に振り分けられる。
返却通路に振り分けられたコインは返却通路を転動して共通の返却口に達し、顧客へ返却され、収納通路に振り分けられたコインは収納部に収納される。
ICコイン通路及びコイン通路は上下に並置され、それぞれ読込書込手段、判別装置が配置され、かつ、ICコイン及びコインの投入口及び返却口が共通であるので、装置を小型化できる利点がある。
【００１４】
第２の好ましい実施態様において、前記磁石の側方の前記ICコイン通路に位置するＩＣコインを前記投入口から遠ざかる方向に強制的に移動させる強制受入装置が配置されている。
ＩＣコインは、投入口近傍における磁石の側方において、強制受入装置によって磁石の吸着力に拘わらず投入口から遠ざかる方向に強制的に移動される。
換言すれば、磁石の側方に位置するICコインは強制受入装置によって強制的に移動されてＩＣコイン通路の奥側に強制的に送り込まれる。
これにより、ICコインの磁性体が磁石に吸着されて保持されてしまうトラブルを解消できる利点がある。
【００１５】
第３の好ましい実施態様において、前記強制受入装置は、前記ICコイン通路の上側から前記投入口へ向かって片持ち板バネ形に延びるバネ体である。
ICコインは、強制受入装置である板状のバネ体によって弾き入れられる。
バネ体は、板状であるので安価に構成でき、かつ耐久性もある。
また、バネ体はICコイン通路の側壁を構成する部材と一体成型することができ、安定した弾発力を得ることが出来、さらにコスト低減をすることができる。
【００１６】
第４の好ましい実施態様において、前記バネ体の根元部のICコイン通路側にバネ体により弾き入れられたICコインをICコインガイドレール側に案内する案内体を設けたものである。
ICコインはバネ体により弾かれると、ICコイン通路の奥側に向かって強制的に移動される。
このとき、ICコインはバネ体による弾き方向によって可動ICコインガイドレールから離れることがある。
可動ICコインガイドレールは、ICコイン通路から退出する方向に常時付勢されているので、ICコインが可動ICコインガイドレールから離れることにより戻り力に対する抵抗が無くなり、ICコイン通路から退出してしまうことがある。
これにより、ICコインは可動ICコインガイドレールに案内されないことから、コイン通路に落下してキャンセルされてしまうことがある。
しかし、ICコインガイドレール側に案内する案内体を設けることにより、ICコインが弾かれたことにより可動ICコインガイドレールから離れた場合であっても、ICコインは案内体に衝突してすぐさま可動ICコインガイドレール上を転がるようになる。
これにより、可動ICコインガイドレールは直ぐさまICコインによって退出動を停止し、ICコインは当該可動ICコインガイドレール上を転動する。
よって、ICコインはICコイン通路を転動して次の行程へ移動することができる利点がある。
【発明を実施するための最良の形態】
【００１７】
本発明の最良の形態は、コインと少なくとも一部が磁性体により構成されたＩＣコインとの共通の投入口に投入された前記コインの真偽を判別して受入コインと返却コインとに選別し、及び前記ＩＣコインと通信して受入ICコイン若しくは返却ICコインに選別する価値媒体処理装置において、前記ICコインが転動し、かつ、前記投入口に続いて配置された可動ICコインガイドレール及び前記可動ICコインガイドレールに実質的に連続して形成され、前下がりの固定ICコインガイドレールによって形成されたICコイン通路、前記投入口近傍の前記ICコイン通路に続いて前記ICコイン通路の下方に前記ICコインガイドレールと平行に形成され、投入された前記コインが転動する前下がりの固定コインガイドレールによって形成されるコイン通路、前記投入口近傍の前記ICコイン通路に隣接配置した磁石、前記磁石と前記可動ICコインガイドレールを駆動連結する連動装置を備え、前記連動装置は、ICコインの前記磁性体に吸着されて移動可能であり、前記吸着移動に連動して前記可動ICコインガイドレールがICコイン通路構成位置に移動されることを特徴とする価値媒体処理装置である。
【実施例１】
【００１８】
実施例１において、コインＣは円盤状かつ金属製であって下向き傾斜通路を自重で転動できる。
ＩＣコインECは円盤状であって下向き傾斜通路を自重で転動でき、かつ、非接触で読込若しくは書込可能なアンテナを備えたＩＣチップＴＰを内蔵するコアECCとその外周に位置し、磁性体、好ましくは強磁性体からなるリムECRにより構成され、例えば500円コインよりも僅かに小さい厚み、及び、直径に形成される。
コイン形電気的価値情報記憶媒体とは、ＩＣコインECをいう。
ＩＣコインECは適宜のサイズに構成できるが、最高額コインよりも価値が高いことを顧客にイメージさせるため、500円コインと同程度のサイズに構成することが好ましい。
磁性体の材質は適宜選択できるが、鉄の場合、錆びるため外見上好ましくなく、さらに、偽造されやすいため、本出願人の出願にかかる特許第3039838号に記載のステンレス鋼を採用することが好ましい。
【００１９】
価値媒体処理装置100は、投入口102、ICコイン通路104、コイン通路106、IＣコインの保留装置108、読込書込装置112、ICコイン振分装置114、判別装置116、コイン振分装置118、返却通路120、返却口124、キャンセル装置126、ICコインの検知装置128、投入阻止装置132を含んでいる。
【００２０】
まず、投入口102を説明する。
投入口102は、コインC及び電気的価値情報記憶媒体としてのＩＣコインECを投入される機能を有する。
投入口102は、コインC及びＩＣコインECの共通投入口である。
本実施例１において、投入口102は縦長矩形であって、その幅は最大厚みである500円コインの厚みよりも僅かに大きく、かつその高さは500円コインの直径よりも僅かに大きく形成されている。
以上より、投入口102にはＩＣコインEC、5円〜500円コイン及びゲームトークンを投入することができる。
コインC及びＩＣコインECの投入口を共通にすることにより、投入口設置範囲を小さくできるので、装置を小型化できる利点を有する。
本実施例１において、投入口102は垂立する縦長矩形のフロントカバ134に形成されている。
フロントカバ134は、金属製の板状のフロントパネル136の前面を覆うように固定されている。
【００２１】
次にICコイン通路104を図5を参照して説明する。
ICコイン通路104は、投入口102に投入されたＩＣコインECが自重により転動する機能を有する。
ICコイン通路104は、投入口102に続いて形成され、投入口102から離れるにしたがって下方に位置する下向きの傾斜通路であり、ICコインガイドレール162、ベース144及びキャンセルカバ146によって下及び左右を囲われた縦長スリット状の通路である(図6)。
換言すれば、ICコイン通路104は、ベース144の側面152、キャンセルカバ146の側面160及びＩＣコインガイドレール162によって画定された図5において左下がりに直線的に伸びる通路である。
ＩＣコインガイドレール162は、投入口102の下縁に続いて所定の角度で前下がり(図5において左下がり)に形成された直線状の細長い突起であり、ベース144に一体的に直線状に形成された固定ICコインガイドレール162F及びキャンセルカバ146に回動可能に支持された固定ICコインガイドレール162Fと投入口102の間に位置できる可動ICコインガイドレール162Mとよりなり、固定ICコインガイドレール162F及び可動ICコインガイドレール162Mとは前下がりの一直線状のICコインガイドレール162を構成する。
【００２２】
ベース144は、フロントパネル136に対し直角に固定された垂立する非磁性体よりなるほぼ矩形の板状体である。
ベース144の側面152は、投入されたコインC及びＩＣコインECのガイドのため、投入口102の側面140と同一平面内に位置される。
ベース144は、樹脂によって一体成形することが好ましい。
【００２３】
キャンセルカバ146は、非磁性体よりなるほぼ矩形の板状体であり、上端部がベース144の軸受154A、154B(図2)に取り付けられた軸156に揺動自在に支持され、付勢用のスプリング158によってベース144に近づくよう回動力を受け、下端の突起159をベース144に突き当てることにより側面152及び160が平行に所定の間隔で位置するよう設定してある。
キャンセルカバ146は、樹脂により一体成形することが好ましい。
キャンセルカバ146の投入口102側の中間に上端部に可動ICコインガイドレール162Mが形成された揺動体163から前後に突出する支軸165A、165Bが軸受167A、167Bに回動自在に軸支されている。
揺動体163は、上下方向に伸びるレバであって、中間から横向きに突出する支軸165A、165Bを軸受167A、167Bに回動自在に支持されている。
揺動体163の下端部からフロントパネル136に向かって被動片169(図2)が突設されている。
支軸165A、165Bの軸線は、固定コインガイドレール150と平行に配置されている。
可動ICコインガイドレール162Mは、固定コインガイドレール150と平行に配置され、ガイド位置GPに位置する場合、ICコインECが転動する面は側面152に向かって傾斜している。
また、揺動体163は通常、共通通路170から退出方向にモーメントが作用し、ICコインECが乗った場合、ガイド位置GPに保持されるようモーメントが設定されている。
【００２４】
次にコイン通路106を図5を参照して説明する。
コイン通路106は、投入口102に投入されたコインＣが転動する機能を有する。
コイン通路106は、投入口102近傍のICコイン通路104に連続し、その下方において、ICコイン通路104と平行に直線的に伸びている。
コイン通路106の幅はＩＣコイン通路104厚みと同一である。
詳細には、5円〜500円コインの中で最も厚い500円硬貨の厚みよりも僅かに広い幅を有している。
換言すれば、コインC及びICコインECはコイン通路106、及びICコイン通路104において転動可能である。
コイン通路106は、前下がりに傾斜する固定コインガイドレール150、ベース144及びキャンセルカバ146によって囲われた断面矩形の縦長直線状通路である。
換言すれば、コイン通路106は、投入口102から遠ざかるにしたがって下向きに傾斜し、その上端はICコイン通路104に連通している。
【００２５】
コインCは投入口102から投入された直後、ICコイン通路104をほぼ直径分移動した後、コイン通路106に落下する。
よって、投入口102に連なるICコイン通路104は、ICコイン通路104との共通通路170である。
キャンセルカバ146の側面160の下端からコインガイドレール166が突出し、コインガイドレール166上面はベース144側に向かって下降するよう傾斜している。
この傾斜により、コインCはベース144にもたれつつ転動するので転動位置が安定する効果がある。
ベース144の側面152とキャンセルガイド側面164との間隔は、選別するコインCの最大厚みよりも僅かに大きく設定されている。
コイン通路106は、ベース144とキャンセルカバ146及びコインガイドレール166によって構成される。
【００２６】
コインガイドレール166は、転動開始ガイドレール148及び固定コインガイドレール150によって構成される。
固定コインガイドレール150は、固定ICコインガイドレール162Fと平行に形成されている。
転動開始ガイドレール148は、フロントパネル136に隣接したキャンセルカバ146に固定された台形の金属板であり、固定コインガイドレール150に連なる落下転動面168が湾曲して形成されている。
コインCの落下によって落下転動面168が摩耗しないため、及び、コインCの転動速度向上のためである。
コインCは側面152及びキャンセルカバ146の側面160によって側面を案内されつつ立った状態でコインガイドレール166上を転動可能である。
【００２７】
次にキャンセル装置126を主に図3を参照して説明する。
キャンセル装置126は、ICコイン通路104若しくはコイン通路106においてジャムしたコインC、又は、投入したコインCをキャンセルし、返却口124に戻す機能を有する。
本実施例１において、キャンセル装置126は、キャンセルカバ146、キャンセルレバ174、及び、第１リンク機構176を含んでいる。
【００２８】
まず、キャンセルレバ174を説明する。
キャンセルレバ174は、顧客がコインCをキャンセルするために操作するレバであり、ベース144から横方向に突出する固定軸178にその中間を回転自在に取り付けられている。
その操作レバ180はフロントカバ134の投入口102に対し右側下方に形成された開口182からフロントカバ134の前方に突出され、顧客によって押し下げ可能に配置されている。
操作レバ180の中間側面に斜面よりなる押下カム184が形成され第1揺動レバ190を押し下げることができる。
操作レバ180は弾性的に図3において時計方向に付勢され、通常、図3に示す待機位置においてストッパ（図示せず）により停止され、保持される。
【００２９】
次に第１リンク機構176を説明する。
第１リンク機構176は、押下カム184が図3において反時計方向に回動された場合、キャンセルカバ146の下端をベース144から遠ざける方向に移動させる機能を有する。
第１リンク機構176は、フロントパネル136から横向き後方向に延びる固定軸185に回動自在に取り付けられた第１揺動レバ190の横向き先端190Tがキャンセルカバ146の下端を押動することにより、キャンセルカバ146は軸156を支点に回動し、ベース144に対し傾斜される。
これにより、コインガイドレール166の側端面と側面152との隙間はコインＣの厚み以上にされ、かつ、固定コインガイドレール150の上面は横方向に対して下向き傾斜になるので、その上に載っているコインCは、自重により落下する。
落下したコインＣは、コイン通路106の下方においてベース144に形成され、フロントパネル136側へ下向きに傾斜し、返却通路120を構成するコイン返却ガイドレール192(図13)上に落下した後、自重によりその上を図5において右方向へ転動し、返却口124へ転げ落ちる。
返却口124は、コインCの両サイド及び前方を囲う溝状に形成されているので、コインＣは返却口124において立った状態で保持される。
【００３０】
次にＩＣコインEC及びコインＣの検知装置128を図5を参照して説明する。
検知装置128は、共通通路170に配置され、投入口102に投入された価値媒体がコインCであるかＩＣコインECであるかを判別する機能を有する。
よって、検知装置128は同様の機能を有する他の装置変更することができる。
本実施例１において、検知装置128は、ベース144の側面152に配置された第１センサ196と第２センサ198を含んでいる。
本実施例１において、第１センサ196及び第２センサ198は、共通通路170を横断する透過型の光電センサであるが、反射型光電センサや接触式センサ等に変更することができる。
第１センサ196は、逸らせ装置122及びＩＣコインガイドレール162の近傍に配置され、コインＣ及びＩＣコインECによって投射光を遮断され、遮断された時に検知信号を出力する。
第２センサ198は、共通通路170を通過するコインCによっては遮断されないが、大径のＩＣコインECによって遮断される位置に配置されている。
よって、第１センサ196及び第２センサ198の投射光が同時に遮断された場合、ＩＣコインECが投入されたと判別し、逸らせ装置122をICコイン通路104から退出させる。
【００３１】
次に判別装置116を説明する。
判別装置116は、コイン通路106を転動するコインCの正偽及び金種を判別する機能を有する。
判別装置116は、コイン通路106に沿ってベース144及びキャンセルカバ146に相対して固定されたコアにコイルを巻きつけたコイル体232、234、236を含んでいる。
コイル体232は、コインCの直径を検知するために用いられる。
コイル体234は、コインCの厚みを検知するために用いられる。
コイル体236は、コインCの材質を検知するために用いられる。
これらコイル体232、234、236からの出力を判別回路（図示せず）に入力し、所定の基準値と比較してコインCの正貨及び偽貨並びに金種を判別する。
判別装置116は偽貨の場合、コイン振分装置118にキャンセル信号CSを出力する。
【００３２】
次にコイン振分装置118を説明する。
コイン振分装置118は、コイン通路106を転動するコインCをコイン返却通路191若しくは保留金庫へのコイン収納通路244Cに振り分ける機能を有する。
コイン振分装置118は、コイン振分体246と第１電磁アクチュエータ248と第２リンク機構252を有する。
コイン振分体246は、コイン通路106の延長上のキャンセル位置CP若しくはコイン収納通路244Cへ案内する収納位置SPに位置可能である。
コイン振分体246は、ベース144から横方向へ突出する固定軸258に回転自在に取り付けられた第２揺動レバ254の先端から横方向に向かってコイン通路106に延びる棒体である。
第２揺動レバ254の他端は、第１電磁アクチュエータ248の鉄心260に第２リンク機構252によってリンク結合されている。
鉄心260は、スプリング（図示せず）により、図８において左方向へ付勢され、通常、キャンセル位置CPに保持される。
【００３３】
判別装置116が真正コインと判別した場合、第１電磁アクチュエータ248が励磁され、鉄心260が図8において右方へ移動されるので、第２揺動レバ254は反時計方向へ回動され、コイン振分体246は収納位置SPに移動され、保持される。
コイン振分体246が収納位置SPに保持される場合、コイン通路106を転動するコインCは、固定コインガイドレール150からコイン振分体246上に落下してコイン収納通路244Cに案内される。
コイン振分体246がキャンセル位置CPに位置する場合、コイン通路106から落下したコインCはコイン振分体246に当接して図5において右方へ案内されるので、コイン返却通路191のコイン返却ガイドレール192上を転動して返却口124へ戻される。
【００３４】
次に逸らせ装置122を図5、6、７を参照して説明する。
逸らせ装置122は、投入口102に投入されたコインCをコイン通路106に案内する機能を有する。
逸らせ装置122は、逸らせ体262、第3リンク機構264、及び第2電磁アクチュエータ266を含んでいる。
逸らせ体262は、板状であり、図12に示すようにＬ形に形成され、ベース144に対し平行に固定された固定軸268に回動自在に取り付けた第3揺動レバ270の一端に対し直角に位置している。
逸らせ体262は垂立部272及び下向き傾斜部274を有し、投入されたコインCは垂立部272に衝突して転がり慣性力を消去され、自重で下方へ落下した後、転動開始ガイドレール148の落下転動面168上に落下する。
第3揺動レバ270の固定軸268よりもベース144に遠い位置から上方に突出する軸276にリンク278の端部が回動自在に取り付けられている。
リンク278の他端は、第2電磁アクチュエータ266の鉄心280に回動自在に取り付けられている。
鉄心280は、スプリング（図示せず）によって突出方向に付勢されている。
【００３５】
よって、第2電磁アクチュエータ266が励磁され、鉄心280が吸引され、図6において上方へ移動された場合、第3揺動レバ270は反時計方向へ回動され、逸らせ体262はICコイン通路104の共通通路170に進行し、共通通路170をほぼ横断するよう位置する。
第2電磁アクチュエータ266が消磁された場合、鉄心280は図示しないスプリングにより図6、12における下方へ移動される。
第３揺動レバ270は時計方向へ回動され、逸らせ体262が共通通路170（ICコイン通路104）から退出する（図6、12の位置）。
このとき、後述のように、投入阻止片306が投入口102に隣接したICコイン通路104に進出しているので、コインCを投入することはできない。
【００３６】
次にＩＣコイン保留装置108を図5を参照して説明する。
ＩＣコイン保留装置108は、ＩＣコインECが投入された場合、ＩＣコインECをICコイン通路104に保留する機能を有する。
ＩＣコイン保留装置108は、停止片282及び第2電磁アクチュエータ266との第4リンク機構283を含んでいる。
【００３７】
停止片282は、ICコイン通路104の上方において、ベース144から側方に突出する固定軸284に回動自在に取り付けられ、ベース144に隣接し、ベース144に対し平行な平面内において回動できる。
第4リンク機構283は、鉄心280に固定され、ベース144にガイドされつつ横方向に往復動可能に設けたスライド片287、スライド片287から横方向へ突出するピン288及び、停止片282に形成した長孔290を含み、ピン288が長孔290にスライド可能に挿入されている。
固定ICコインガイドレール162Fを挟んだ側面152の反対側に固定の棒状の落下防止体291が配置されている。
ICコインECが保留位置HPに保持されている状態において、キャンセルレバ174が操作され、キャンセルカバ146が移動されることによりICコインECが保留位置HPから落下することを防止するためである。
【００３８】
第2電磁アクチュエータ266が消磁されている場合、スライド片287は図8において最左方に位置しているので、停止片282は図5において時計方向に回動された保持位置SＰに保持される。
停止片282が保持位置SＰに位置する場合、ＩＣコインガイドレール162上を転動してきたＩＣコインECは、停止片282の先端に当接して転動を阻止され、保留位置HPに保持される。
【００３９】
第2電磁アクチュエータ266が励磁された場合、鉄心280が図8において右方へ移動されるため、停止片282は図5において反時計方向へ回動される。
これにより、停止片282の先端はＩＣコインECに当接しない位置に移動され、ＩＣコインECはICコイン通路104を図5においてさらに左方へ転動可能になる。
ICコイン通路104を転動するＩＣコインECは、ICコイン振分装置114によってICコイン収納通路244IC又はICコイン返却通路313へ案内される。
【００４０】
次に投入阻止装置132を図12を参照して説明する。
投入阻止装置132は、ＩＣコインECが保留位置HPに保留されている場合、コインC及びＩＣコインECを投入口102に投入できないようにする機能を有する。
投入阻止装置手段132は、第3揺動レバ270と一体に形成したＬ形レバ302である。
Ｌ形レバ302の先端が投入阻止片306である。
【００４１】
投入阻止片306は、投入口102の後方のフロントパネル136に近接した位置において、共通通路170に進退可能である。
よって、逸らせ体262と投入阻止片306とは第３揺動レバ270の揺動によって反対位相で共通通路170に進退する。
詳述すれば、逸らせ体262が共通通路170に位置している場合、投入阻止片306は共通通路170から退出する。
逸らせ体262が共通通路170から退出している場合、投入阻止片306は投入口102に相対する共通通路170に位置する。
よって、投入阻止片306が共通通路170に位置する場合、コインC及びＩＣコインECを投入口102に投入することが出来ない。
【００４２】
次に読込書込装置112を説明する。
読込書込装置112は、保留位置HPに保留されたＩＣコインECのＩＣチップTPと価値情報を通信によって読込書込する機能を有する。
本実施例１においては、読込書込装置112は、ベース144に固定され、通信機能を有するＩＣ及びアンテナを搭載した通信基板311である。
【００４３】
次にICコイン振分装置114を説明する。
ICコイン振分装置114は、停止片282による保持を解除されたＩＣコインECをＩＣコイン収納通路244IC若しくはICコイン返却通路313に振分ける機能を有する。
ICコイン振分装置114は、ＩＣコイン振分体314及び第３電磁アクチュエータ316を含んでいる。
ＩＣコイン振分体314は縦軸318がベース144に形成された軸受318A、318Bに回転自在に支持されている。
縦軸318の上端部に側方に突出する被動レバ325が固定され、被動レバ325の自由端は第３電磁アクチュエータ316の鉄心326の先端に固定された駆動体328の孔331に挿入されている。
【００４４】
第３電磁アクチュエータ316が消磁されている場合、鉄心326はスプリング（図示せず）によって突出され図７に示すキャンセル位置CPに保持される。
キャンセル位置CPにおいて、ICコイン振分体314は図７の位置に保持され、一側面である返却案内面317はICコイン通路104を形成する側面152に連なって後、下方に向かうにしたがって横方向へ突出するよう緩やかに湾曲している。
この湾曲によって、ＩＣコインECは、ICコイン返却通路313に案内される。
【００４５】
ICコイン返却通路313は、固定コインガイドレール150の下方に形成され、隔壁335によって区切られてコイン返却通路191に並列配置されている。
隔壁335はキャンセルカバ146の延長上に位置している。
【００４６】
第３電磁アクチュエータ316が励磁された場合、ICコイン振分体314は図7において時計方向に回動され、返却案内面317の裏面側の収納案内面319がキャンセルカバ146の側面160の延長上の収納位置RPに位置する。
収納案内面319は、ＩＣコインECをICコイン収納通路244ICに案内するよう湾曲形成されている。
これにより、ＩＣコインECはICコイン収納通路244ICへ案内される。
【００４７】
ICコイン収納通路244ICは、ベース144によってコイン収納通路244Cに対し区画され、並列配置されている。
【００４８】
なお、コイン収納通路244Cに糸吊り防止手段320を配置することが好ましい。
本実施例１の糸吊り防止手段320は、軸322に対し揺動可能に取り付けた扇形の阻止体324である。
通常、重力により阻止体324の一部が収納通路244に突出した状態に垂下される。
正貨コインCが通過する場合、阻止体324は当該コインCにより移動され、当該コインCは通過することが出来る。
コインCが通過した後、阻止体324は自己モーメントにより元に戻る。
これにより、糸吊りしたコインCを引き上げた場合、当該コインCによって阻止体324はコイン収納通路244C内に引き入れられるように力を受けるので、阻止体324に移動を阻止され、引き上げることはできない。
【００４９】
フロントカバ134にＩＣコインECのＩＣチップTPに記憶された価値情報を表示するための表示器330を装着することが好ましい。
表示器330は、上向きに形成し、顧客から見えやすいように配置することが好ましい。
また、フロントカバ134を透光性樹脂にて製造し、フロントカバ134裏面側のフロントパネル136に多数のLEDを配置して発光させることにより、装飾性を高めることができる。
さらに、スピーカーを組み込むことにより、音楽やアナウンスを流すことができる。
【００５０】
次に可動ICコインガイドレール162Mの移動装置332を図9、11及び16を参照して説明する。
移動装置332は、ICコインECが投入口102に投入された場合、可動ICコインガイドレール162Mをガイド位置GPに移動させる機能を有する。
移動装置332は、永久磁石334と連動装置336を含んでいる。
まず、永久磁石334を説明する。
永久磁石334は、投入口102のすぐ下流の共通通路170に接離可能に隣接して配置され、ICコインECのリムECRの側方に配置される。
換言すれば、永久磁石334はベース144に形成された開口335においてリムECRの磁性に引かれてICコインECに近づくように移動可能である。
【００５１】
次に連動装置336を説明する。
連動装置336は、永久磁石334が自己の着磁力によってICコインECのリムECRに吸着されて移動した場合、永久磁石334の移動を可動ICコインガイドレール162Mの移動に連動させる機能を有する。
連動装置336は、第４揺動レバ338を含んでいる。
第４揺動レバ338は、フロントカバ134の裏面から横向き後方に突出する固定軸344に中間を回動自在に支持された上下方向に直線状に延びる棒状体である。
第４揺動レバ338の上端に形成された円筒ホルダ340に円柱形の永久磁石334が挿入固定され、固定軸344に対し下側には係止凹部346及び下端部に押動部342が形成されている。
押動部342は、揺動体163の被動片169を押動する。
第４揺動レバ338は自己モーメントにより図11において反時計方向に回動するが、ICコインECのリムCERが所定値以上の磁性体である場合、永久磁石334の吸着力により図11において時計方向に回動される。
これにより押動部342が被動片169を押動して揺動体163を回動させ、可動ICコインガイドレール162Mをガイド位置GPに移動させる(図15)。
リムECRが鉄等の強磁性体である場合、ICコインECは永久磁石334に吸着され、可動ICコインガイドレール162M上を転動できない。
この場合、キャンセルレバ174のキャンセル操作を利用して吸着解除装置350により解除する。
したがって、リムCERの磁性は、永久磁石334の磁力との関係で所定値以上所定値以下でなければならない。
換言すれば、鉄を強磁性体とすれば、磁性ステンレスのような弱磁性体でなければならない。
【００５２】
次に吸着解除装置350を説明する。
吸着解除装置350は、永久磁石334に吸着された偽ICコインを解除する機能を有する。
第１揺動レバ190から側方に突出する弧状の解除片352が係止凹部346に挿入されている。
前述のように、リムECRが強磁性体で製造された偽ICコインが投入された場合、キャンセルレバ174を押し下げると押下カム184によって第1揺動レバ190が押されて図10において反時計方向に回動される。
これにより、先端190Tはキャンセルカバ146の下端を押すのでキャンセルレバ174は軸156を支点に回動され、ベース144との間隔が拡大される。
また、第1揺動レバ190の回動によって解除片352が係止凹部346の上部346Uを押すので、第４揺動レバ338は図16において反時計方向に回動される。
これにより、永久磁石334は強制的に偽ICコインから引き離され、偽ICコインは真下に落下して返却通路120に達した後、返却口124に返却される。
【００５３】
次に本実施例１の作用を説明する。
まず正貨コインCを投入したケースを説明する。
本価値媒体処理装置100がスタンバイ状態にない場合、逸らせ装置122の第2電磁アクチュエータ266は、消磁され、鉄心280がスプリング（図示せず）によって図6における下方に移動され、リンク278を介して第3揺動レバ270は時計方向へ回動され、最時計回り位置に位置する（図6の状態）。
これにより、逸らせ体262は共通通路170から退出した位置に保持される。
一方、逆位相に移動される投入阻止片306は、共通通路170に進出している。
よって、コインC及びIＣコインEＣは投入阻止片306によって阻止され、投入口102に投入することができない。
【００５４】
本価値媒体処理装置100がスタンバイ状態にされた場合、第2電磁アクチュエータ266は励磁され、鉄心280が図6において引き上げられ、リンク278を介して第３揺動レバ270は反時計方向へ回動される。
これにより、逸らせ体262は共通通路170に進出し、投入阻止片306は共通通路170から退出する。
よって、コインC及びＩＣコインECは投入口102にをそれぞれ投入可能になる。
【００５５】
コイン振分装置118の第１電磁アクチュエータ248は消磁され、鉄心260はスプリング(図示せず)によって図5において右方へ移動されるので、第２リンク機構252を介して第２揺動レバ254が最時計方向に回動される（図5の状態）。
これにより、コイン振分体246はキャンセル位置CPに保持される。
ICコイン振分装置114の第３電磁アクチュエータ316も消磁され、キャンセル位置CPに保持される。
換言すれば、ICコイン振分体314の返却案内面317がベース144の側面152に連続的に連なっている位置に保持される(図7の状態)。
【００５６】
コインCが投入口102に投入された場合、永久磁石334はコインCによって吸着されないので押動部342が被動片169を押動しない。
これにより、可動ICコインガイドレール162Mは共通通路170に突出しないので、投入コインCはコイン通路106の転動開始ガイドレール148上に落下した後、転動を開始し、固定コインガイドレール150上を転動する。
コインCが勢いよく投入された場合、コインCは直径が小さいため、第１センサ196及び第２センサ198の光軸を同時に遮断することはないので、第２電磁アクチュエータ266は励磁されたままであり、逸らせ体262はICコイン通路104に突出している。
これにより、投入コインCは共通通路170を進行して逸らせ体262の垂立部272又は傾斜部274に衝突する。
【００５７】
垂立部272又は傾斜部274に衝突したコインCは投入口102側へ跳ね返って横方向への移動慣性力を消滅させられ、重力により落下して転動開始ガイドレール148上に落下する。
転動開始ガイドレール148の落下転動面168に落下したコインCは、その円弧面により加速されつつ転動し、次いで固定コインガイドレール150上を転動する。
コインCは固定コインガイドレール150上を転動する過程でコイル体236、234、232に順次相対し、コインCの材質、厚み及び直径に関する識別情報を取得される。
判別装置116は、これらの識別情報からコインCの真偽及び金種を判別する。
【００５８】
本ケースは正貨であるため、正貨として判別され、第１電磁アクチュエータ248が所定時間励磁される。
この励磁によって、鉄心260は図8において右方へ引かれるので、第２揺動レバ254は反時計方向へ回動される。
これにより、コイン振分体246は図5に示す収納位置SPへ移動される。
固定コインガイドレール150から落下したコインCはコイン振分体246上に落下して図5における左方へ跳ね返り、コイン収納通路244Cへ案内される。
コイン収納通路244Cを落下するコインCは、阻止体324を図5において時計方向へ回動させて通過し、保留金庫（図示せず）に保留される。
保留されたコインCを糸吊りにより引き上げようとしても前述のように阻止体324に阻止されて引き上げることができない。
【００５９】
次に偽コインが投入されたケースを説明する。
投入口102に投入された偽コインは、前述同様にコイン通路106の固定コインガイドレール150上を転動する。
判別装置116はコイル体236、234、232からの識別情報に基づき偽信号を出力するので、第１電磁アクチュエータ248は励磁されない。
これにより、コイン振分体246は図5におけるキャンセル位置CPを維持するので、偽コインはコイン振分体246に衝突してコイン返却通路191へ案内され、返却口124に保持されてキャンセルされる。
【００６０】
次にＩＣコインECを投入口102に投入したケースを説明する。
ＩＣコインECが投入口102に挿入されると永久磁石334がリムECRに吸着され、第４揺動レバ338は図11において時計方向に回動される。
これにより、押動部342は被動片169を押すので、揺動体163は支軸165A、165Bを支点に回動され、可動ICコインガイドレール162Mがガイド位置GPに移動する(図15、16)。
ＩＣコインECは、可動ＩＣコインガイドレール162M上を転動してICコイン通路104を図5において右方から左方へ転動する。
この転動によってＩＣコインECは永久磁石334の側方を通過するので可動ICコインガイドレール162Mは永久磁石334によるガイド位置GPへの保持力を受けないが、その上を転動するＩＣコインECはその重量によってガイド位置GPに保持されるモーメントを生じさせるので、可動ICコインガイドレール162Mはガイド位置GPを保持する。
ＩＣコインECは、転動途上で第１センサ196及び第２センサ198の投射光を遮断するので、検知装置128はＩＣコインECとして検知する。
これにより、第２電磁アクチュエータ266が消磁され、鉄心280が図6において下方へ移動されるので、第3揺動レバ270は時計方向へ回動され、逸らせ体262は共通通路170から退出すると共に投入阻止片306は共通通路170に進出し、コインCは投入不可能になる（図6に示す状態）。
また、スライド片287、ピン288を介して停止片282が図5の位置に回動され、ＩＣコインECは保留位置ＨPに保持される。
【００６１】
逸らせ体262の共通通路170からの退出により、ＩＣコインECは可動ＩＣコインガイドレール162M上から固定ICコインガイドレール162F上を転動して上端部が停止片282によって停止され、保留位置HPにおいて保留される（図5）。
ＩＣコインECは保留位置HPに保留された後、読込書込装置112によってＩＣコインECに内蔵されたＩＣチップTPと通信し、価値情報を読込若しくは書き込む。
ＩＣコインECがＩＣコインEC保留位置HPに保留された場合、キャンセルレバ174を回動させ、キャンセルカバ146を開いたとしても、ＩＣコインECはベース144と落下防止体291との間に保持されて位置が安定するので読込書込エラを生じることはない。
【００６２】
ＩＣコインECの価値情報がゼロになった場合、ＩＣコイン振分装置132の第３電磁アクチュエータ316が励磁され、駆動体328が移動されるので、被動レバ325の先端が移動され(図14の状態)、縦軸318は反時計方向へ回動される。
この回動によって、ICコイン振分体314が図7において時計方向に回動され、収納案内面319がキャンセルカバ146の壁面と面一になる収納位置RPに保持される。
【００６３】
次いで第２電磁アクチュエータ266が励磁され、図6において上方へ移動される。
これにより、スライド片287が同方向へ移動され、ピン288を介して停止片282が図5において反時計方向に回動され、非保持位置に移動される。
停止片282の係止を解除されたＩＣコインECは、固定ＩＣコインガイドレール162Fの傾斜によって転動を開始し、ICコイン振分体314に達する。
【００６４】
ICコイン振分体314が収納位置RPにあるため、ＩＣコインECは収納案内面319に案内されてＩＣコイン収納通路244ICへ案内される。
ＩＣコインECに価値情報が残存している場合、第３電磁アクチュエータ316は励磁されず、キャンセル位置CPに保持される。
換言すれば、ICコイン振分体314の返却案内面317がベース144の側面152と面一の位置に保持される。
この場合、ＩＣコインECは、ICコイン振分体314によってICコイン返却通路313に案内され、返却口124へ戻される。
【００６５】
本発明は上記実施例１の他、ＩＣコインＥＣのリムCERによって永久磁石３３４が吸着され、その移動によって、ＩＣコインの可動ICコインガイトレールが非ガイド位置に移動し、下方のＩＣコイン通路を転動し、コインＣが投入された場合、当該コインは可動ＩＣコインガイドレール上を転動して上側のコイン通路を転動するようにし、各コイン通路において所定の処理を行うようにすることもできる。
しかし、磁性体による永久磁石３３４のガイド位置GPへの移動の確実性を考慮すると、実施例のように、磁石の移動によってＩＣコインガイドレールがガイド位置GPに移動するよう構成することが好ましい。
【実施例２】
【００６６】
本実施例２は、実施例１においてICコインECのリムCERが永久磁石334に吸着されることにより、ICコインECが投入口102において保持され、顧客がICコインECを永久磁石334の側方を通過するまで押し込まねばならい問題を解消したものである。
本実施例２において、ICコイン通路104はベース144に固定されたICコイン通路部材354によって下面、一側面及び上面を画定されている。
換言すれば、ICコイン通路部材354はネジ孔356を貫通するビス（図示せず）などによりベース144に一体化されている。
【００６７】
ICコイン通路部材354は、側壁362、投入口下端画定体364、固定ICコインガイドレール162F、上側ガイドレール部材366、強制受入装置369、及び案内体372が一体に形成されている。
ICコイン通路部材354をベース144と別体に構成することにより、ベース144よりも耐摩耗性に勝る材料を選択でき、また、摩耗した場合ICコイン通路部材354のみを交換することにより修復できる利点がある。
【００６８】
まず側壁362を説明する。
側壁362は、側面152を構成する機能を有し、垂立する板状を呈し、そのICコイン通路104側の側面が側面152である。
側面152には、ICコインECが面接触せず円滑に転動可能とするため、ICコイン通路104の伸長方向に平行に延在するリブ374を形成することが好ましい。
【００６９】
次に投入口下端画定体364を説明する。
投入口下端画定体364は、縦長スリット状の投入口102の下面を画定する機能を有する。
投入口下端画定体364は、側壁362の投入口102側下端部に横向きに台形状にICコインECの厚みよりも僅かに大きい量で突出形成されている。
投入口下端画定体364の画定体上面376によって、投入口102の下面が画定され、その上面376は、投入口102側から上向案内斜面378、頂部382及び下向案内斜面384を有する。
【００７０】
次に固定ICコインガイドレール162Fを説明する。
固定ICコインガイドレール162Fは、第1実施例と同様にICコインECが転動する機能を有する。
固定ICコインガイドレール162Fは、投入口下端画定体364から反投入口102側に可動ICコインガイドレール162Mの全長よりも僅かに離れた位置からICコイン通路104の下流に向かって所定の長さで側壁362の下端部から横向きに投入口下端画定体364と同じ量、突出形成されている。
固定ICコインガイドレール162Fは、実施例１と同様に可動ICコインガイドレール162Mを通過したICコインECが転動する。
固定ICコインガイドレール162Fは可動ICコインガイドレール162M側の前下がりの傾斜角度が小さい緩斜面386とそれよりも傾斜角が大きい急斜面388とにより構成されている。
換言すれば、固定ICコインガイドレール162FはICコイン通路104の下面を画定形成し、全体としてICコイン通路104の奥（投入口102から遠ざかる方向）に向かって前下がりに構成される。
可動ICコインガイドレール162MがICコイン通路104を画定する位置に移動した場合、図18において鎖線で示すように下向案内斜面384の端部と緩斜面386の端部とを直線的に結ぶ位置に進行する。
緩斜面386を構成することにより、可及的に大径のICコインECを使用することができる利点がある。
換言すれば、上側ガイドレール部材366と固定ICコインガイドレール162Fとの間隔を可及的に大きくすることができる。
【００７１】
次に上側ガイドレール部材366を説明する。
上側ガイドレール部材366はICコイン通路104の上側を画定する機能を有する。
上側ガイドレール部材366は、固定ICコインガイドレール162Fの急斜面388に対し平行にICコインECの直径よりも大きな間隔で配置された上側ガイドレール368が下面に形成され、側壁362から横向きに突出する台形状を呈している。
【００７２】
次に強制受入装置369が説明される。
強制受入装置369は、投入口102に挿入されたICコインECをICコイン通路104の奥側に向かって強制的に送り込む機能を有する。
したがって、同様の機能を有する装置に変更することができる。
本実施例２の強制受入装置369は、上側ガイドレール部材366の投入口102側の端面から投入口102側に向かって片持ち状に板状で所定の長さで突出するたるバネ体392である。
バネ体392は上側ガイドレール部材366と一体に樹脂により成形され、かつ薄板状、及び弧状に突出していることから、所定の弾発力を有している。
バネ体392の自由端394は、投入口102の上側端の近傍に位置し、横向き円柱状に形成されている。
バネ体392が何ら外力を受けない場合、その自由端394の下縁と投入口下端画定体364の上面376との間隔は、ICコインECの直径よりも小さい距離離れている。
【００７３】
ICコインECが投入口102に挿入された場合、ICコインECの下周面は投入口下端画定体364の頂部382から下向案内斜面384の順に滑って或いは転がって案内されるので、その上端周縁は自由端394の下縁を押し上げてバネ体392を変形させつつICコイン通路104の奥部へ向かって移動する。
これにより、バネ体392の弾発力は徐々に高められる。
換言すれば、顧客はＩＣコインECを投入口102に挿入する際、バネ体392によって小さな抵抗を受けつつ押し込むことになる。
これにより、ICコインECを勢いよくICコイン通路104に投入できないので、投入速度差によって生じる問題をも解消できる。
【００７４】
ICコインECの直径部が下向案内斜面384と自由端394との間を通過した直後、自由端394はバネ体392の弾発力によってICコインECの後端側下向き弧状周面に作用させ、ICコイン通路104の奥部へ押し出す力を付与する。
これにより、ICコインECは自由端394によってICコイン通路104の奥部へ向かって弾き入れられる。
バネ体392の弾発力は同一であるので、ICコイン通路104におけるICコインECの移動速度は所定速度以上であり、かつ毎回ほぼ同一速度になる。
さらに、投入口102の側方には永久磁石334が配置され、リムECRの磁性によりこICコインECは永久磁石334に吸着され、保持されそうになる。
しかし、ICコインECはバネ体392によって弾かれることによって強制的に移動されるので、ICコインECが永久磁石334に吸着されて保持され続けることはない。
【００７５】
なお、ICコインEC以外のコインCが投入口102に投入される場合、自由端394は当該コインCに接しないことが好ましい。
バネ体392がコインCを弾かない場合であっても、コインCは非磁性体若しくは磁性があっても極めて小さいので、コインCが永久磁石334の磁力によって投入口102に保持されることはない。
換言すれば、ICコインECの直径が、使用可能コインにおいて、最大であることが好ましい。価値観を醸しだすからである。
【００７６】
次に案内体372が説明される。
案内体372は、バネ体392によってICコイン通路104の奥側に向かって弾き入れられたICコインECを可動ICコインガイドレール162M側に案内する機能を有する。
案内体372は、バネ体392の根本部の上側ガイドレール部材366のバネ体392よりもICコイン通路104側の端面から投入口102に向かってバネ体392の約三分の一の長さで突出している。
案内体372の先端398は、可動ICコインガイドレール162Mに対し、投入口102側の間隔が大きく、ICコイン通路104の下流側に向かって間隔が狭くなるよう前下がり斜面400に形成されている。
この構成により、ICコインECがバネ体392によって弾かれた反動で可動ICコインガイドレール162Mから浮いた場合、直ぐさまICコインECが案内体372の前下がり斜面400に衝突して可動ICコインガイドレール162M側に跳ね返され、可動ICコインガイドレール162Mとの接触を回復するので可動ICコインガイドレール162Mがガイド位置GPから外れてしまうことを防止できる。
【００７７】
側壁362には、投入阻止装置132がICコイン通路104に突出可能にするための第１貫通孔402、逸らせ装置122がICコイン通路104に突出可能にするための第2貫通孔404及び第1センサ196、第２センサ198の透光のための第3貫通孔406及び第4貫通孔408が形成されている。
【００７８】
側壁362は図19に示すように、その先端が投入口102の一側面、具体的には右側面を画定するようフロントカバ134の縦長開口410に挿入される。
これにより、投入口102の右側面は側壁362、左側面はフロントカバ134の開口410の側壁、下面は投入口下端画定体364及び上面はフロントカバ134の開口410の上面によって画定される。
ICコイン通路104は、右側面が側面152、左側面がキャンセルカバ146の側面160、下面が可動ICコインガイドレール162M及び固定ICコインガイドレール162F並びに上面が上側ガイドレール368によって画定される。
コイン通路106は実施例１と同一である。
【００７９】
次に実施例2の作用を説明する。
図19に示すように、ICコインECを投入口102に挿入した場合、その周面下端は投入口下端画定体364の頂部382に支えられた状態において、ICコインECの前側の上向き周縁がバネ体392の自由端394の下面と接触する。
顧客はバネ体392の弾発力による抵抗に抗してさらに挿入した場合、自由端394はICコインECの上向き外周面によって押し上げられ、バネ体392が変形する。
バネ体３92は、変形量の増加と共に弾発力が大きくなる。
【００８０】
このとき、リムECRは永久磁石334の磁力の影響下にあるので、永久磁石334がリムECR側に吸着移動し、第４揺動レバ338は図11において時計方向に回動される。
これにより、押動部342は被動片169を押すので、揺動体163は支軸165A、165Bを支点に回動され、可動ICコインガイドレール162Mがガイド位置GPに移動する(図15、16)。
ＩＣコインECの直径部が下向案内斜面384と自由端394の下面との間を超えて挿入された所定位置において、ＩＣコインECはバネ体392の弾発力によりICコイン通路104の奥側へ向かって弾き入れられる。
この弾き入れにより、ＩＣコインECは強制的に永久磁石334の側方を移動されるので、永久磁石334に吸着保持されない。
換言すれば、バネ体392の弾発力はＩＣコインECが永久磁石334に吸着保持されない速度で移動されるよう設定される。
【００８１】
ＩＣコインECは弾かれた後、可動ICコインガイドレール162M上を転動してICコイン通路104を奥側へ（図５、19において右方から左方）転動する。
この転動時において、IＣコインECは永久磁石334の側方を通り過ぎているので可動ICコインガイドレール162Mは永久磁石334によるガイド位置GPへの保持力を受けないが、その上を転動するＩＣコインECの重量によってガイド位置GPに保持されるモーメントを生じさせるので、可動ICコインガイドレール162Mはガイド位置GPを保持する。
万が一、ＩＣコインECがバネ体392によって弾かれて可動ICコインガイドレール162M上から離れた場合であっても、直ぐにその上端周面が案内体372の前下がり斜面400に衝突し、直ぐさま可動ICコインガイドレール162M側に跳ね返される。
これにより、可動ICコインガイドレール162Mは実質的にガイド位置GPを保持し続け、前述のようにICコインECは可動ICコインガイドレール162M上を転動してICコイン通路104を図５、19において右方から左方へ転動する。
【００８２】
ＩＣコインECは、転動途上で第１センサ196及び第２センサ198の投射光を遮断するので、検知装置128はＩＣコインECとして検知する。
これにより、第２電磁アクチュエータ266が消磁され、鉄心280が図6において下方へ移動されるので、第3揺動レバ270は時計方向へ回動され、逸らせ体262は共通通路170から退出すると共に投入阻止片306は共通通路170に進出し、コインCは投入不可能になる（図6に示す状態）。
また、スライド片287、ピン288を介して停止片282が図5の位置に回動され、ＩＣコインECは保留位置HPに保持される。
爾後前述の実施例１と同様に処理される。
【００８３】
コインCが投入口102に挿入され、バネ体392によってICコインECと同様に弾き入れられたた場合、永久磁石334はコインCによって吸着されないので可動ICコインガイドレール162Mはガイド位置GPに移動されない。
また、逸らせ体262が共通通路170に位置しているので、逸らせ体262に衝突して下方に落下してコイン通路106を転動して実施例１と同様に真偽判別される。
実施例２は、ICコインECが投入口102に保持されない利点がある。
なお、側壁362の投入口102側端部を弧状に切欠412を設け、対応するフロントカバ134部分を球面状に窪み414とすることにより、顧客が指先で切欠412の底部まで押し込め出来るようにすることが好ましい。
ICコインECを一層容易にバネ体392の弾発力に抗して押し込むことができるからである。
【図面の簡単な説明】
【００８４】
【図１】図１は実施例１の価値媒体処理装置の斜視図である。
【図２】図２は実施例１の価値媒体処理装置の左側面図である。
【図３】図３は実施例１の価値媒体処理装置の右側面図である。
【図４】図４は実施例１の価値媒体処理装置の平面図である。
【図５】図５は図４におけるＡ―Ａ線断面図である。
【図６】図６は図３におけるＢ―Ｂ線断面図である。
【図７】図７は図３におけるＣ―Ｃ線断面図である。
【図８】図８は図４におけるＤ―Ｄ線断面図である。
【図９】図９は実施例１の価値媒体処理装置の連動装置の分解斜視図である。
【図１０】図１０は図３におけるＥ―Ｅ線断面図である。
【図１１】図１１は図３におけるＦ―Ｆ線断面図である（通常状態）。
【図１２】図１２は実施例１の価値媒体処理装置の投入阻止装置部の拡大断面図である。
【図１３】図２におけるＧ―Ｇ線断面図である。
【図１４】図１４は図３におけるＨ―Ｈ線断面図である。
【図１５】図１５は図２におけるＩ―Ｉ線断面図である。
【図１６】図１６は図３におけるＦ―Ｆ線断面図である（ＩＣコイン投入状態）。
【図１７】図１７は本発明の実施例２におけるICコイン通路部材の斜視図である。
【図１８】図１８は本発明の実施例２におけるICコイン通路部材の正面図である。
【図１９】図１９は本発明の実施例２におけるICコイン通路部材を組み込んだ図４におけるＡ―Ａ線断面に相当する断面図である。
【符号の説明】
【００８５】
C  コイン
EC  ＩＣコイン
100  価値媒体処理装置
102  投入口
104  ICコイン通路
106  コイン通路
108  ICコインの保留装置
112  読込書込装置
114  ICコイン振分装置
116  判別装置
118  コイン振分装置
122  逸らせ装置
124  返却口
128  ICコイン検知装置
132  投入阻止装置
191  コイン返却通路
244C  コイン収納通路
244IC  ICコイン収納通路
313  ICコイン返却通路
334  磁石
336  連動装置
369  強制受入装置
372  案内体
392  バネ体
【手続補正３】
【補正対象書類名】図面
【補正対象項目名】図５
【補正方法】変更
【補正の内容】
【図５】
2010097582.tif 000001
【手続補正４】
【補正対象書類名】図面
【補正対象項目名】図７
【補正方法】変更
【補正の内容】
【図７】
2010097582.tif 000002
【手続補正５】
【補正対象書類名】図面
【補正対象項目名】図１４
【補正方法】変更
【補正の内容】
【図１４】
2010097582.tif 000003
【手続補正６】
【補正対象書類名】図面
【補正対象項目名】図１７
【補正方法】変更
【補正の内容】
【図１７】
2010097582.tif 000004
【手続補正７】
【補正対象書類名】図面
【補正対象項目名】図１８
【補正方法】変更
【補正の内容】
【図１８】
2010097582.tif 000005